(57)【要約】【課題】長期間使用している製品が各部品の経年劣化により、製品が故障しユーザーに不具合を与える可能性がある為、製品の点検時期が近づいて来たら自動でユーザーに点検時期が近いことをお知らせすることができる浴室暖房乾燥機を提供することを目的としている。【解決手段】製品の製造年月から点検時期を自動認識する点検時期自動認識手段と、製品の点検時期が来たことをお知らせする為の点検お知らせ手段とを備え、製品の点検時期が近づいて来たら自動でユーザーに点検時期が近いことをお知らせすることができる浴室暖房乾燥機が提供できる。【選択図】図１
2010243027.tif 000002
【特許請求の範囲】
【請求項１】
製品の製造年月から点検時期を自動認識する点検時期自動認識手段と、製品の点検時期が来たことをお知らせする為の点検お知らせ手段とを備えた浴室暖房乾燥機。
【請求項２】
前記点検時期自動認識手段を製品の製造年月を記憶する製造年月記憶手段と、時間を管理する時間管理手段と、前記製造年月記憶手段及び時間管理手段を点検時期まで電気的に駆動し続ける為の第一電源供給手段とにより構成することを特徴とする請求項１の浴室暖房乾燥機。
【請求項３】
前記点検時期自動認識手段を製品の製造年月を記憶する製造年月記憶手段と、時間を管理する時間管理手段と、製品が製造されてからユーザーに通電されるまでの時間製造年月記憶手段及び時間管理手段を電気的に駆動し続ける第二電源供給手段と、通電されることで第二電源供給手段を充電することができる充電手段とにより構成することを特徴とする請求項１の浴室暖房乾燥機。
【請求項４】
前記点検時期自動認識手段を製品の製造年月を記憶する製造年月記憶手段と、電気的に書き換えることが可能な不揮発性の不揮発メモリ手段と、現在年月を自動に更新できる年月更新手段とにより構成することを特徴とする請求項１の浴室暖房乾燥機。
【請求項５】
前記点検時期自動認識手段を製品の製造年月を記憶する製造年月記憶手段と、電気的に書き換えることが可能な不揮発性の不揮発メモリ手段と、製品の点検時期を管理する集中管理手段と通信することができる通信手段とにより構成することを特徴とする請求項１の浴室暖房乾燥機。
【請求項６】
前記点検お知らせ手段を製品本体に取り付けられた製品本体表示手段により構成することを特徴とする請求項１から請求項５何れかに記載の浴室暖房乾燥機。
【請求項７】
前記点検お知らせ手段を遠隔から製品を操作するリモートコントローラーのリモコン表示手段により構成することを特徴とする請求項１から請求項５何れかに記載の浴室暖房乾燥機。
【請求項８】
前記点検お知らせ手段を音声によりお知らせする音声お知らせ手段により構成することを特徴とする請求項１から請求項５何れかに記載の浴室暖房乾燥機。
【発明の詳細な説明】
【技術分野】
【０００１】
本発明は、暖房や換気機能を搭載し、浴室を利用して洗濯物を乾燥させる浴室暖房乾燥機に関する。
【背景技術】
【０００２】
近年、一般家庭において浴室の換気装置の設置が多くなるにともない、浴室を利用して洗濯物を乾燥させる乾燥機能を有した浴室暖房乾燥機が普及してきている。また、建築基準法が改正され新築住宅にあっては常時換気の機能を有する換気装置の設置が義務付けられ、ますます浴室暖房乾燥機の普及が拡大してきている。浴室暖房乾燥機は、設備商品としての傾向が強く、浴室を新規にする時に一緒に交換するというケースが非常に多い。そのため一旦設置されると、浴室が壊れる、あるいは汚れが著しくなる２０〜３０年近く使用、設置されることが多い。その為、長期使用による各部品の経年劣化により、製品が故障しユーザーに不具合を与える場合がある。
【特許文献１】特開２００４−９３００８号公報
【発明の開示】
【発明が解決しようとする課題】
【０００３】
このような従来の浴室暖房乾燥機では、長期間使用している製品が各部品の経年劣化により、製品が故障しユーザーに不具合を与えるという課題があり、またユーザーには製品の点検時期がわからないという課題がある。本発明は、このような従来の課題を解決するものであり、製品の点検時期が近づいて来たら自動でユーザーに点検時期が近いことをお知らせすることができる浴室暖房乾燥機を提供することを目的としている。
【課題を解決するための手段】
【０００４】
本発明の浴室暖房乾燥機は、上記目標を達成するため製品の製造年月から点検時期を自動認識する点検時期自動認識手段と、製品の点検時期が来たことをお知らせする為の点検お知らせ手段とを備えたことを特徴とする。そして、本発明によれば製品の点検時期が近づいて来たら自動でユーザーに点検時期が近いことをお知らせすることができる浴室暖房乾燥機が得られる。
【０００５】
また、前記点検時期自動認識手段を製品の製造年月を記憶する製造年月記憶手段と、時間を管理する時間管理手段と、前記製造年月記憶手段及び時間管理手段を点検時期まで電気的に駆動し続ける為の第一電源供給手段とにより構成することを特徴とする。そして、本発明によれば製品を製造するときに製造年月を製造年月記憶手段に記憶させ、製品の点検時期まで第一電源供給手段にて製造年月記憶手段と時間管理手段を駆動させ、時間管理手段により時間を積算することにより、製品の点検時期が近づいて来たら自動でユーザーにお知らせすることができる浴室暖房乾燥機が得られる。
【０００６】
また、前記点検時期自動認識手段を製品の製造年月を記憶する製造年月記憶手段と、時間を管理する時間管理手段と、製品が製造されてからユーザーに通電されるまでの時間製造年月記憶手段及び時間管理手段を電気的に駆動し続ける第二電源供給手段と、通電されることで第二電源供給手段を充電することができる充電手段とにより構成することを特徴とする。そして、本発明によれば製品を製造するときに製造年月を製造年月記憶手段に記憶させ、ユーザーに通電されるまで第二電源供給手段にて製造年月記憶手段と時間管理手段を駆動させ、時間管理手段により時間を積算し、ユーザーが通電してからは通電された電源にて時間管理手段により時間を積算し、通電中は充電手段により電源手段Ｂを充電する。ユーザーが通電を遮断した場合は、充電手段により充電された電源手段Ｂにて製造年月記憶手段と時間管理手段を駆動させ、時間管理手段により時間を積算することにより、製品の点検時期が近づいて来たら自動でユーザーにお知らせすることができる浴室暖房乾燥機が得られる。
【０００７】
また、前記点検時期自動認識手段を製品の製造年月を記憶する製造年月記憶手段と、電気的に書き換えることが可能な不揮発性の不揮発メモリ手段と、現在年月を自動に更新できる年月更新手段とにより構成することを特徴とする。そして、本発明によれば製品を製造するときに製造年月を製造年月記憶手段に記憶させ同時に不揮発メモリ手段に製造年月を記憶し、年月更新手段により製造年月と現在年月を比較することにより、製品の点検時期が近づいて来たら自動でユーザーにお知らせすることができる浴室暖房乾燥機が得られる。
【０００８】
また、前記点検時期自動認識手段を製品の製造年月を記憶する製造年月記憶手段と、電気的に書き換えることが可能な不揮発性の不揮発メモリ手段と、製品の点検時期を管理する集中管理手段と通信することができる通信手段とにより構成することを特徴とする。そして、本発明によれば製品を製造するときに製造年月を製造年月記憶手段に記憶させ同時に不揮発メモリ手段に製造年月を記憶し、ユーザーが製品を通電したら通信手段により集中管理手段へ製品の製造年月を知らせ、集中管理手段により点検時期を管理し点検時期が近づいたら集中管理手段から通信手段にて本製品へ点検時期が近いことを知らせることにより、製品の点検時期が近づいて来たら自動でユーザーにお知らせすることができる浴室暖房乾燥機が得られる。
【０００９】
また、前記点検お知らせ手段を製品本体に取り付けられた製品本体表示手段により構成することを特徴とする。そして、本発明によれば製品の点検時期が近づいて来たら自動で製品本体表示手段により、ユーザーにお知らせすることができる浴室暖房乾燥機が得られる。
【００１０】
また、前記点検お知らせ手段を遠隔から製品を操作するリモートコントローラーのリモコン表示手段により構成することを特徴とする。そして、本発明によれば製品の点検時期が近づいて来たら自動でリモコン表示手段により、ユーザーにお知らせすることができる浴室暖房乾燥機が得られる。
【００１１】
また、前記点検お知らせ手段を音声によりお知らせする音声お知らせ手段により構成することを特徴とする。そして、本発明によれば製品の点検時期が近づいて来たら自動で音声お知らせ手段により、ユーザーにお知らせすることができる浴室暖房乾燥機が得られる。
【発明の効果】
【００１２】
本発明によれば製品の製造年月から点検時期を自動認識する点検時期自動認識手段と製品の点検時期が来たことをお知らせする為の点検お知らせ手段を備えたことにより長期間使用している製品でも点検を受けることで、経年劣化による不具合を回避することができるという効果のある浴室暖房乾燥機を提供できる。
【００１３】
また、前記点検時期自動認識手段を製品の製造年月を記憶する製造年月記憶手段と、時間を管理する時間管理手段と、前記製造年月記憶手段及び時間管理手段を点検時期まで電気的に駆動し続ける為の第一電源供給手段とにより構成することにより、製品を製造するときに製造年月を製造年月記憶手段に記憶させ、製品の点検時期まで第一電源供給手段にて製造年月記憶手段と時間管理手段を駆動させ、時間管理手段により時間を積算することにより、長期間使用している製品でも点検を受けることで、経年劣化による不具合を回避することができるという効果のある浴室暖房乾燥機を提供できる。
【００１４】
また、前記点検時期自動認識手段を製品の製造年月を記憶する製造年月記憶手段と、時間を管理する時間管理手段と、製品が製造されてからユーザーに通電されるまでの時間製造年月記憶手段及び時間管理手段を電気的に駆動し続ける第二電源供給手段と、通電されることで第二電源供給手段を充電することができる充電手段とにより構成するにより、製品を製造するときに製造年月を製造年月記憶手段に記憶させ、ユーザーに通電されるまで第二電源供給手段にて製造年月記憶手段と時間管理手段を駆動させ、時間管理手段により時間を積算し、ユーザーが通電してからは通電された電源にて時間管理手段により時間を積算し、通電中は充電手段により電源手段Ｂを充電する。ユーザーが通電を遮断した場合は、充電手段により充電された電源手段Ｂにて製造年月記憶手段と時間管理手段を駆動させ、時間管理手段により時間を積算することにより、長期間使用している製品でも点検を受けることで、経年劣化による不具合を回避することができるという効果のある浴室暖房乾燥機を提供できる。
【００１５】
また、前記点検時期自動認識手段を製品の製造年月を記憶する製造年月記憶手段と、電気的に書き換えることが可能な不揮発性の不揮発メモリ手段と、現在年月を自動に更新できる年月更新手段とにより構成することにより、製品を製造するときに製造年月を製造年月記憶手段に記憶させ同時に不揮発メモリ手段に製造年月を記憶し、年月更新手段により製造年月と現在年月を比較することにより、長期間使用している製品でも点検を受けることで、経年劣化による不具合を回避することができるという効果のある浴室暖房乾燥機を提供できる。
【００１６】
また、前記点検時期自動認識手段を製品の製造年月を記憶する製造年月記憶手段と、電気的に書き換えることが可能な不揮発性の不揮発メモリ手段と、製品の点検時期を管理する集中管理手段と通信することができる通信手段とにより構成するにより、製品を製造するときに製造年月を製造年月記憶手段に記憶させ同時に不揮発メモリ手段に製造年月を記憶し、ユーザーが製品を通電したら通信手段により集中管理手段へ製品の製造年月を知らせ、集中管理手段により点検時期を管理し点検時期が近づいたら集中管理手段から通信手段にて本製品へ点検時期が近いことを知らせることにより、長期間使用している製品でも点検を受けることで、経年劣化による不具合を回避することができるという効果のある浴室暖房乾燥機を提供できる。
【００１７】
また、前記点検お知らせ手段を製品本体に取り付けられた製品本体表示手段により構成することにより、製品本体表示手段により点検時期をユーザーにお知らせすることで長期間使用している製品でも点検を受けることで、経年劣化による不具合を回避することができるという効果のある浴室暖房乾燥機を提供できる。
【００１８】
また、前記点検お知らせ手段を遠隔から製品を操作するリモートコントローラーのリモコン表示手段により構成することにより、リモコン表示手段により点検時期をユーザーにお知らせすることで長期間使用している製品でも点検を受けることで、経年劣化による不具合を回避することができるという効果のある浴室暖房乾燥機を提供できる。
【００１９】
また、前記点検お知らせ手段を音声によりお知らせする音声お知らせ手段により構成することにより、音声お知らせ手段により点検時期をユーザーにお知らせすることで長期間使用している製品でも点検を受けることで、経年劣化による不具合を回避することができるという効果のある浴室暖房乾燥機を提供できる。
【発明を実施するための最良の形態】
【００２０】
本発明の請求項１記載の発明は、製品の製造年月から点検時期を自動認識する点検時期自動認識手段と、製品の点検時期が来たことをお知らせする為の点検お知らせ手段とを備えた浴室暖房乾燥機であり、製品の製造年月から点検時期を自動認識し、点検していただく様にお知らせすることで、ユーザーが製品の寿命が近いことを認識でき、点検を受けることができるという作用を有する。
【００２１】
また、前記点検時期自動認識手段を製品の製造年月を記憶する製造年月記憶手段と、時間を管理する時間管理手段と、前記製造年月記憶手段及び時間管理手段を点検時期まで電気的に駆動し続ける為の第一電源供給手段とにより構成することにより、製品を製造するときに製造年月を製造年月記憶手段に記憶させ、製品の点検時期まで第一電源供給手段にて製造年月記憶手段と時間管理手段を駆動させ、時間管理手段により時間を積算することにより、製品の製造年月から点検時期を自動認識し、点検していただく様にお知らせすることで、ユーザーが製品の寿命が近いことを認識でき、点検を受けることができるという作用を有する。
【００２２】
また、前記点検時期自動認識手段を製品の製造年月を記憶する製造年月記憶手段と、時間を管理する時間管理手段と、製品が製造されてからユーザーに通電されるまでの時間製造年月記憶手段及び時間管理手段を電気的に駆動し続ける第二電源供給手段と、通電されることで第二電源供給手段を充電することができる充電手段とにより構成するにより、製品を製造するときに製造年月を製造年月記憶手段に記憶させ、ユーザーに通電されるまで第二電源供給手段にて製造年月記憶手段と時間管理手段を駆動させ、時間管理手段により時間を積算し、ユーザーが通電してからは通電された電源にて時間管理手段により時間を積算し、通電中は充電手段により電源手段Ｂを充電する。ユーザーが通電を遮断した場合は、充電手段により充電された電源手段Ｂにて製造年月記憶手段と時間管理手段を駆動させ、時間管理手段により時間を積算することにより、製品の製造年月から点検時期を自動認識し、点検していただく様にお知らせすることで、ユーザーが製品の寿命が近いことを認識でき、点検を受けることができるという作用を有する。
【００２３】
また、前記点検時期自動認識手段を製品の製造年月を記憶する製造年月記憶手段と、電気的に書き換えることが可能な不揮発性の不揮発メモリ手段と、現在年月を自動に更新できる年月更新手段とにより構成することにより、製品を製造するときに製造年月を製造年月記憶手段に記憶させ同時に不揮発メモリ手段に製造年月を記憶し、年月更新手段により製造年月と現在年月を比較することにより、製品の製造年月から点検時期を自動認識し、点検していただく様にお知らせすることで、ユーザーが製品の寿命が近いことを認識でき、点検を受けることができるという作用を有する。
【００２４】
また、前記点検時期自動認識手段を製品の製造年月を記憶する製造年月記憶手段と、電気的に書き換えることが可能な不揮発性の不揮発メモリ手段と、製品の点検時期を管理する集中管理手段と通信することができる通信手段とにより構成するにより、製品を製造するときに製造年月を製造年月記憶手段に記憶させ同時に不揮発メモリ手段に製造年月を記憶し、ユーザーが製品を通電したら通信手段により集中管理手段へ製品の製造年月を知らせ、集中管理手段により点検時期を管理し点検時期が近づいたら集中管理手段から通信手段にて本製品へ点検時期が近いことを知らせることにより、製品の製造年月から点検時期を自動認識し、点検していただく様にお知らせすることで、ユーザーが製品の寿命が近いことを認識でき、点検を受けることができるという作用を有する。
【００２５】
また、前記点検お知らせ手段を製品本体に取り付けられた製品本体表示手段により構成することを特徴とするものであり、製品の製造年月から点検時期を自動認識し、点検していただく様に製品本体表示手段によりお知らせすることで、ユーザーが製品の寿命が近いことを認識でき、点検を受けることができるという作用を有する。
【００２６】
また、前記点検お知らせ手段を遠隔から製品を操作するリモートコントローラーのリモコン表示手段により構成することを特徴とするものであり、製品の製造年月から点検時期を自動認識し、点検していただく様にリモコン表示手段によりお知らせすることで、ユーザーが製品の寿命が近いことを認識でき、点検を受けることができるという作用を有する。
【００２７】
また、前記点検お知らせ手段を音声によりお知らせする音声お知らせ手段により構成することを特徴とするものであり、製品の製造年月から点検時期を自動認識し、点検していただく様に音声お知らせ手段によりお知らせすることで、ユーザーが製品の寿命が近いことを認識でき、点検を受けることができるという作用を有する。
【００２８】
以下、本発明の実施の形態について図面を参照しながら説明する。
【００２９】
（実施の形態１）
以下、本発明の実施の形態１について図１及び図２を参照しながら説明する。
【００３０】
図１は本発明に関わる浴室暖房乾燥機および設置周辺の概略構成である。図１に示すように、本浴室暖房乾燥機４は建物１の浴室２の天井裏３に設置される。換気運転する場合は、換気手段５例えばファンモータを動作させ浴室２内の空気を浴室暖房乾燥機吸気口６から吸込み、排気ダクト配管７を通して屋外へ空気を排気する。浴室内の空気を排気すると浴室吸気口８から居室９の空気を吸込む。また、居室９の空気を吸込むと屋外吸気口１０から屋外の空気を吸込み空気の入れ替えを行う。暖房運転する場合は、循環手段１１例え例えばファンモータと加熱手段１２例えばヒータまたは温水コイルを動作させ、浴室２内の空気を浴室暖房乾燥機吸気口６より吸込み、加熱手段１２を通過することにより空気を暖め、送風口１３より浴室２内に循環することで浴室２内を暖める。乾燥運転する場合は換気手段５と循環手段１１と加熱手段１２を同時に動作させることにより、浴室２内の空気を暖め飽和水蒸気量を増やして空気内に水分を多く含ませその空気を排気することで浴室２内を乾燥させ、浴室２内に干された衣類を乾かせる。また、浴室暖房乾燥機４に搭載された各手段を動作及び停止させる制御手段１６は、リモートコントローラー１５より運転モード指令を受ける。また、点検時期が近づくと製品本体表示手段１４例えばＬＥＤにて点検時期をお知らせする構成である。
【００３１】
図２は、制御手段１６内部の詳細である。浴室暖房乾燥機４の各手段を制御する製品動作制御手段１７例えばマイコンと製品の製造年月を記憶する製造年月記憶手段１８例えばマイコン、製造年月記憶手段１８は製品動作制御手段１７のマイコンを使用しても同様な効果があることは言うまでもない、と時間を管理する時間管理手段１９例えばマイコン、時間管理手段１９は製品動作制御手段１７のマイコンを使用しても同様な効果があることは言うまでもない、とマイコンを点検時期まで電気的に駆動し続ける為の第一電源供給手段２０例えば電池またはバッテリ電源にて構成される。
【００３２】
本構成において、製品を製造するときに製造年月を製造年月記憶手段１８に記憶させ、製品の点検時期まで第一電源供給手段２０にて製造年月記憶手段１８と時間管理手段１９に電源を供給し駆動させ、時間管理手段１９により時間を積算し、製品の製造年月から点検時期を自動認識する。また、点検時期が近づくと浴室暖房乾燥機４に取り付けられた製品本体表示手段１４によりユーザーに点検時期を知らせることにより、ユーザーが点検時期を認識し適切な点検を受ける様になり、長期間使用している製品でも経年劣化による不具合を回避することができる。
【００３３】
（実施の形態２）
以下、本発明の実施の形態２について図３及び図４を参照しながら説明する。
【００３４】
実施の形態１と同一部分は同一番号を附し、詳細な説明を省略する。
【００３５】
図３に示すようにリモートコントローラー１５にリモコン表示手段２１例えばＬＥＤを設けた構成である。図４は制御手段１６内部に製造年月記憶手段１８と時間管理手段１９を製品が製造されてからユーザーに通電されるまで電気的に駆動し続ける為の第二電源供給手段２２例えばバッテリ或いは充電電池と商用電源２４から第二電源供給手段２２を充電できる充電手段２３を設けた構成である。
【００３６】
本構成において、製品が製造されてからユーザーに通電されるまでは製造時に充電しておいた電気にて製造年月記憶手段１８と時間管理手段１９に電源を供給し駆動させ、ユーザーが通電してからは、充電手段２３にて第二電源供給手段２２に充電した電気にて製造年月記憶手段１８と時間管理手段１９に電源を供給し駆動させ、時間管理手段１９により時間を積算し、製品の製造年月から点検時期を自動認識する。また、点検時期が近づくとリモートコントローラー１５に設けられたリモコン表示手段２１によりユーザーに点検時期を知らせることにより、ユーザーが点検時期を認識し適切な点検を受ける様になり、長期間使用している製品でも経年劣化による不具合を回避することができる。
【００３７】
（実施の形態３）
以下、本発明の実施の形態３について図５及び図６を参照しながら説明する。
【００３８】
実施の形態１および２と同一部分は同一番号を附し、詳細な説明を省略する。
【００３９】
図５に示すように浴室暖房乾燥機４本体に音声お知らせ手段２５例えばマイクまたはブザーを設けた構成である。図６は電気的に書き換えることができる不揮発メモリ手段２６例えばＥＥＰＲＯＭと現在年月を自動に更新できる年月更新手段２７例えば電波時計などの電波を受ける受信機と年月を管理するマイコンを設けた構成である。
【００４０】
本構成において、製品を製造するときに製造年月を製造年月記憶手段１８に記憶させ、不揮発メモリ手段２６に製造年月を書き込み、ユーザーに通電されてからは随時例えば１週間に１回、年月更新手段２７により現在の年月を更新し、製造年月と比較することにより、点検時期が近づくと浴室暖房乾燥機４本体に音声お知らせ手段２５、本実施の形態では浴室暖房乾燥機４本体に音声お知らせ手段２５を設けているがリモートコントローラー１５に音声お知らせ手段を設けても同様の効果が得られることは言うまでもない、によりユーザーに点検時期を知らせることにより、ユーザーが点検時期を認識し適切な点検を受ける様になり、長期間使用している製品でも経年劣化による不具合を回避することができる。
【００４１】
（実施の形態４）
以下、本発明の実施の形態４について図１及び図７を参照しながら説明する。
【００４２】
実施の形態１および２と同一部分は同一番号を附し、詳細な説明を省略する。
【００４３】
図７に示すように製品の点検時期を管理する集中管理手段と通信できる通信手段２８例えばインターネット通信を設けた構成である。
【００４４】
本構成において、製品を製造するときに製造年月を製造年月記憶手段１８に記憶させ、不揮発メモリ手段に製造年月を書き込み、ユーザーに通電されてからは通信手段２８により、製品の点検時期を管理する集中管理手段に製品の密番と製品の製造年月を知らせ、点検時期が近づくと集中管理手段から点検時期が近いことが知らされる。これにより、浴室暖房乾燥機４は点検時期を認識し、浴室暖房乾燥機４に取り付けられた製品本体表示手段１４によりユーザーに点検時期を知らせることにより、ユーザーが点検時期を認識し適切な点検を受ける様になり、長期間使用している製品でも経年劣化による不具合を回避することができる。
【産業上の利用可能性】
【００４５】
本発明は浴室空間での仕様を目的として提供しているが、居室空間においても同様な効果は期待できる。
【図面の簡単な説明】
【００４６】
【図１】本発明の実施の形態１の浴室暖房乾燥機および設置周辺の概略構成図
【図２】本発明の実施の形態１の制御手段の内部構成図
【図３】本発明の実施の形態２の浴室暖房乾燥機および設置周辺の概略構成図
【図４】本発明の実施の形態２の制御手段の内部構成図
【図５】本発明の実施の形態３の浴室暖房乾燥機および設置周辺の概略構成図
【図６】本発明の実施の形態３の制御手段の内部構成図
【図７】本発明の実施の形態４の制御手段の内部構成図
【符号の説明】
【００４７】
１    建物
２    浴室
３    天井裏
４    浴室暖房乾燥機
５    換気手段
６    浴室暖房乾燥機吸気口
７    排気ダクト配管
８    浴室吸気口
９    居室
１０  屋外吸気口
１１  循環手段
１２  加熱手段
１３  送風口
１４  製品本体表示手段
１５  リモートコントローラー
１６  制御手段
１７  製品動作制御手段
１８  製造年月記憶手段
１９  時間管理手段
２０  第一電源供給手段
２１  リモコン表示手段
２２  第二電源供給手段
２３  充電手段
２４  商用電源
２５  音声お知らせ手段
２６  不揮発メモリ手段
２７  年月更新手段
２８  通信手段
【図１】
2010243027.tif 000003
【図２】
2010243027.tif 000004
【図３】
2010243027.tif 000005
【図４】
2010243027.tif 000006
【図５】
2010243027.tif 000007
【図６】
2010243027.tif 000008
【図７】
2010243027.tif 000009